(57)【要約】【課題】  出力デバイスに対応する出力領域に複数の画像を配置する際に、操作者の操作性を向上させ、適切な観察環境の確保を実現できるようにする。【解決手段】  空き領域算出部２３１では、出力領域に対する画像の空き領域を算出する。切り出し可能領域算出部２３２では、入力された切り出し開始位置の情報と前記空き領域に基づいて切り出し可能領域を算出し、当該切り出し可能領域を表示画面の画像上に表示する。画像サイズ変更部２３３では、入力された切り出し領域の情報と前記切り出し可能領域に基づいて画像のサイズを変更し、画像配置部２３４では、画像サイズ変更部２３３による画像のサイズに基づいて出力領域に対して当該画像を配置する。【選択図】  図２
2010114783.tif 000002
【特許請求の範囲】
【請求項１】
出力デバイスに対応する出力領域に画像を配置する処理を行う画像処理システムであって、
前記出力領域に対する画像の出力可能領域を算出する出力可能領域算出手段と、
前記画像の切り出し開始位置を入力する第１の入力手段と、
前記出力可能領域算出手段により算出された出力可能領域と前記第１の入力手段により入力された切り出し開始位置に基づいて、切り出し可能領域を算出する切り出し可能領域算出手段と、
前記画像とともに、当該画像上に前記切り出し可能領域算出手段により算出された切り出し可能領域を表示画面に表示する切り出し可能領域表示手段と、
前記第１の入力手段により入力された切り出し開始位置を基準とする切り出し領域を入力する第２の入力手段と、
前記第２の入力手段により入力された切り出し領域と、前記切り出し可能領域算出手段により算出された切り出し可能領域に基づいて、前記画像のサイズを変更する画像サイズ変更手段と、
前記画像サイズ変更手段による画像のサイズに基づいて、前記出力領域に対して当該画像を配置する画像配置手段と
を有することを特徴とする画像処理システム。
【請求項２】
前記画像配置手段により前記出力領域に既に配置された画像に係る画像配置情報を保持する画像配置情報保持手段を更に有し、
前記出力可能領域算出手段は、前記画像配置情報に基づいて、前記出力領域の空き領域を前記出力可能領域として算出することを特徴とする請求項１に記載の画像処理システム。
【請求項３】
前記画像サイズ変更手段は、前記第２の入力手段により入力された切り出し領域が前記切り出し可能領域算出手段により算出された切り出し可能領域の範囲外である場合、前記第２の入力手段により入力された切り出し領域を無効とすることを特徴とする請求項１または２に記載の画像処理システム。
【請求項４】
前記画像サイズ変更手段は、前記第２の入力手段により入力された切り出し領域が前記切り出し可能領域算出手段により算出された切り出し可能領域の範囲外である場合、前記切り出し可能領域算出手段により算出された切り出し可能領域に基づく切り出し可能範囲の最大サイズで、前記画像のサイズを変更することを特徴とする請求項１または２に記載の画像処理システム。
【請求項５】
前記切り出し可能領域表示手段は、前記画像の前記切り出し可能領域と前記画像の切り出し不可能領域とを背景色を変えて区別して前記表示画面に表示することを特徴とする請求項１乃至４のいずれか１項に記載の画像処理システム。
【請求項６】
前記出力可能領域は、前記画像サイズ変更手段による画像を回転して配置可能な領域を含むことを特徴とする請求項１乃至５のいずれか１項に記載の画像処理システム。
【請求項７】
前記切り出し可能領域表示手段は、前記切り出し可能領域算出手段により算出された切り出し可能領域のうち、画像の回転により切り出し可能な領域と画像を回転せずに切り出し可能な領域とを区別して前記表示画面に表示することを特徴とする請求項１乃至４のいずれか１項に記載の画像処理システム。
【請求項８】
前記出力可能領域は、前記出力領域を回転することにより画像を配置可能な領域を含むことを特徴とする特徴とする請求項１乃至５のいずれか１項に記載の画像処理システム。
【請求項９】
前記画像配置手段により前記出力領域に配置された画像を表示画面に表示する画像表示手段を更に有することを特徴とする請求項１乃至８のいずれか１項に記載の画像処理システム。
【請求項１０】
出力デバイスに対応する出力領域に画像を配置する処理を行う画像処理方法であって、
前記出力領域に対する画像の出力可能領域を算出する出力可能領域算出ステップと、
前記画像の切り出し開始位置を入力する第１の入力ステップと、
前記出力可能領域算出ステップにより算出された出力可能領域と前記第１の入力ステップにより入力された切り出し開始位置に基づいて、切り出し可能領域を算出する切り出し可能領域算出ステップと、
前記画像とともに、当該画像上に前記切り出し可能領域算出ステップにより算出された切り出し可能領域を表示画面に表示する切り出し可能領域表示ステップと、
前記第１の入力ステップにより入力された切り出し開始位置を基準とする切り出し領域を入力する第２の入力ステップと、
前記第２の入力ステップにより入力された切り出し領域と、前記切り出し可能領域算出ステップにより算出された切り出し可能領域に基づいて、前記画像のサイズを変更する画像サイズ変更ステップと、
前記画像サイズ変更ステップによる画像のサイズに基づいて、前記出力領域に対して当該画像を配置する画像配置ステップと
を有することを特徴とする画像処理方法。
【請求項１１】
出力デバイスに対応する出力領域に画像を配置する処理を行う画像処理方法をコンピュータに実行させるためのプログラムであって、
前記出力領域に対する画像の出力可能領域を算出する出力可能領域算出ステップと、
前記画像の切り出し開始位置を入力する第１の入力ステップと、
前記出力可能領域算出ステップにより算出された出力可能領域と前記第１の入力ステップにより入力された切り出し開始位置に基づいて、切り出し可能領域を算出する切り出し可能領域算出ステップと、
前記画像とともに、当該画像上に前記切り出し可能領域算出ステップにより算出された切り出し可能領域を表示画面に表示する切り出し可能領域表示ステップと、
前記第１の入力ステップにより入力された切り出し開始位置を基準とする切り出し領域を入力する第２の入力ステップと、
前記第２の入力ステップにより入力された切り出し領域と、前記切り出し可能領域算出ステップにより算出された切り出し可能領域に基づいて、前記画像のサイズを変更する画像サイズ変更ステップと、
前記画像サイズ変更ステップによる画像のサイズに基づいて、前記出力領域に対して当該画像を配置する画像配置ステップと
をコンピュータに実行させるためのプログラム。
【発明の詳細な説明】
【技術分野】
【０００１】
本発明は、出力デバイスに対応する出力領域に画像を配置する処理を行う画像処理システム及び画像処理方法、並びに、当該画像処理方法をコンピュータに実行させるためのプログラムに関するものである。
【背景技術】
【０００２】
近年、医療診断を目的としたＸ線画像撮影装置（放射線画像撮影装置）として、フラットパネルセンサ等のセンサを用いてＸ線画像をデジタル的に検出・生成する手法が普及している。このＸ線画像撮影装置によって得られたＸ線デジタル画像（以下、Ｘ線デジタル画像を単に「Ｘ線画像」と称する）は、各種の補正処理や画像処理等のコンピュータ処理が施される。その後、モニターやフィルム等に出力され医師の診断が行われる。
【０００３】
また、診断時のＸ線画像の出力モードは、センサ上の画像サイズで出力するライフサイズ出力、もしくは、一定の縮小率で出力する固定縮小率出力のどちらかが使用される。また、出力デバイスに対応する出力領域に応じた縮小率の変更は、診断し難く誤診に繋がるため、一般に行われていない。
【０００４】
この出力領域のサイズは、モニターやフィルム等の出力デバイスの性能によって異なる。従って、選択された出力デバイス、および、被写体の身長や体型によっては、Ｘ線画像中の観察領域が当該出力領域のサイズに収まりきらない場合が発生する。その際、例えば、Ｘ線画像の切り出しを行い、適切な観察領域を出力する方法が知られている（例えば、下記の特許文献１参照）。
【０００５】
具体的に、特許文献１では、照射野領域サイズと出力デバイスに対応する出力領域サイズとを比較し、照射野領域サイズが大きい場合にユーザーに注意を促すようにしている。また、照射野領域の枠と共に、出力領域の最大サイズ枠、および、出力デバイスへ出力する枠をＸ線画像上に重ねて表示することで、切り出し操作の補助を行うようにしている。
【０００６】
また、観察領域のサイズが小さい場合、一定サイズの出力領域に複数の画像を配置し、出力することがコスト的にも効率がよい。そして、例えば、より多くの画像を効率的に出力領域に配置する方法として、任意サイズの複数画像が、出力領域内に配置し切れない場合、配置領域・画像の幅長に基づき、画像の周辺部を削除して再配置することが知られている（例えば、下記の特許文献２参照）。
【０００７】
【特許文献１】特開２００６−２９６９５４号公報
【特許文献２】特許第３８５４７６６号公報
【発明の開示】
【発明が解決しようとする課題】
【０００８】
ところで、出力デバイスに対応する一定サイズの出力領域に、任意のＸ線画像を順次切り出して複数配置する場合、当該出力領域に対する空き領域に応じて切り出し可能な領域が異なる。また、１つ以上の画像が配置済みの場合は、切り出し範囲によって配置可能な空き領域が複数存在することもある。
【０００９】
上述した特許文献１に係る従来の方法では、Ｘ線画像上に、照射野領域と出力領域の最大サイズ枠を表示することで、切り出し範囲の設定時の補助を行っている。これは、一定サイズの出力領域に１つの観察領域を配置する際の切り出し操作には効率的であるが、複数の観察領域を配置する際の切り出し操作は考慮されていない。このため、一定サイズの出力領域に複数の観察領域を配置する際の切り出し操作は煩雑になり、作業効率が低下するという問題がある。
【００１０】
また、上述した特許文献２に係る従来の方法では、一定サイズの出力領域に任意サイズの複数画像を配置する際に、画像のはみ出し量に応じて、画像の周辺を削除して再配置を行っている。このため、ユーザーが指定した観察領域とは異なる領域で出力され、診断に必要な領域が削除される恐れがあった。
【００１１】
本発明は、上述した問題点に鑑みてなされたものであり、出力デバイスに対応する出力領域に複数の画像を配置する際に、操作者の操作性を向上させ、適切な観察環境の確保を実現する画像処理システム、画像処理方法及びプログラムを提供することを目的とする。
【課題を解決するための手段】
【００１２】
本発明の画像処理システムは、出力デバイスに対応する出力領域に画像を配置する処理を行う画像処理システムであって、前記出力領域に対する画像の出力可能領域を算出する出力可能領域算出手段と、前記画像の切り出し開始位置を入力する第１の入力手段と、前記出力可能領域算出手段により算出された出力可能領域と前記第１の入力手段により入力された切り出し開始位置に基づいて、切り出し可能領域を算出する切り出し可能領域算出手段と、前記画像とともに、当該画像上に前記切り出し可能領域算出手段により算出された切り出し可能領域を表示画面に表示する切り出し可能領域表示手段と、前記第１の入力手段により入力された切り出し開始位置を基準とする切り出し領域を入力する第２の入力手段と、前記第２の入力手段により入力された切り出し領域と、前記切り出し可能領域算出手段により算出された切り出し可能領域に基づいて、前記画像のサイズを変更する画像サイズ変更手段と、前記画像サイズ変更手段による画像のサイズに基づいて、前記出力領域に対して当該画像を配置する画像配置手段とを有する。
【００１３】
本発明の画像処理方法は、出力デバイスに対応する出力領域に画像を配置する処理を行う画像処理方法であって、前記出力領域に対する画像の出力可能領域を算出する出力可能領域算出ステップと、前記画像の切り出し開始位置を入力する第１の入力ステップと、前記出力可能領域算出ステップにより算出された出力可能領域と前記第１の入力ステップにより入力された切り出し開始位置に基づいて、切り出し可能領域を算出する切り出し可能領域算出ステップと、前記画像とともに、当該画像上に前記切り出し可能領域算出ステップにより算出された切り出し可能領域を表示画面に表示する切り出し可能領域表示ステップと、前記第１の入力ステップにより入力された切り出し開始位置を基準とする切り出し領域を入力する第２の入力ステップと、前記第２の入力ステップにより入力された切り出し領域と、前記切り出し可能領域算出ステップにより算出された切り出し可能領域に基づいて、前記画像のサイズを変更する画像サイズ変更ステップと、前記画像サイズ変更ステップによる画像のサイズに基づいて、前記出力領域に対して当該画像を配置する画像配置ステップとを有する。
【００１４】
本発明のプログラムは、出力デバイスに対応する出力領域に画像を配置する処理を行う画像処理方法をコンピュータに実行させるためのプログラムであって、前記出力領域に対する画像の出力可能領域を算出する出力可能領域算出ステップと、前記画像の切り出し開始位置を入力する第１の入力ステップと、前記出力可能領域算出ステップにより算出された出力可能領域と前記第１の入力ステップにより入力された切り出し開始位置に基づいて、切り出し可能領域を算出する切り出し可能領域算出ステップと、前記画像とともに、当該画像上に前記切り出し可能領域算出ステップにより算出された切り出し可能領域を表示画面に表示する切り出し可能領域表示ステップと、前記第１の入力ステップにより入力された切り出し開始位置を基準とする切り出し領域を入力する第２の入力ステップと、前記第２の入力ステップにより入力された切り出し領域と、前記切り出し可能領域算出ステップにより算出された切り出し可能領域に基づいて、前記画像のサイズを変更する画像サイズ変更ステップと、前記画像サイズ変更ステップによる画像のサイズに基づいて、前記出力領域に対して当該画像を配置する画像配置ステップとをコンピュータに実行させるためのものである。
【発明の効果】
【００１５】
本発明によれば、出力デバイスに対応する出力領域に複数の画像を配置する際に、操作者の操作性を向上させ、適切な観察環境の確保を実現することが可能となる。
【発明を実施するための最良の形態】
【００１６】
以下、図面を参照しながら、本発明を実施するための最良の形態（実施形態）について説明する。なお、以下に示す説明においては、放射線としてＸ線を適用した例を示すが、本発明においてはこれに限定されず、例えば、放射線として、γ線などの電磁波やα線、β線なども含まれるものとして記載する。
【００１７】
（第１の実施形態）
まず、本発明の第１の実施形態について説明する。
図１は、本発明の第１の実施形態に係るＸ線画像処理システム１００の概略構成の一例を示す模式図である。このＸ線画像処理システム１００は、Ｘ線画像（より具体的には、Ｘ線デジタル画像）に画像処理を施して出力するシステムであり、一定サイズの出力領域に任意のサイズで切り出されたＸ線画像を固定倍率で出力するシステムに関するものである。
【００１８】
Ｘ線画像処理システム１００は、図１に示すように、Ｘ線画像撮影装置１１０と、ネットワーク１２０と、ＲＩＳ１３０と、ＰＡＣＳ１４０と、Ｖｉｅｗｅｒ１５０と、プリンタ１６０−１及び１６０−２を有して構成されている。
【００１９】
また、Ｘ線画像撮影装置１１０は、図１に示すように、Ｘ線発生部１１１と、Ｘ線発生制御部１１２と、センサ１１３を含み構成されるセンサユニット１１４と、Ｘ線画像撮影制御部１１５と、操作・表示部１１６を有して構成されている。
【００２０】
Ｘ線発生部１１１は、Ｘ線を発生させるＸ線管球を具備し、被写体である患者２００にＸ線を照射する。Ｘ線発生制御部１１２は、Ｘ線画像撮影制御部１１５からの指示に基づきＸ線発生部１１１を制御して、Ｘ線発生部１１１から発生させるＸ線の制御を行う。
【００２１】
センサ１１３は、患者２００を透過したＸ線を電気信号（電荷）として検出する。センサユニット１１４は、センサ１１３で検出された電荷をＡ／Ｄ変換して、Ｘ線画像（より具体的には、Ｘ線デジタル画像）として出力する。
【００２２】
Ｘ線画像撮影制御部１１５は、Ｘ線画像撮影装置１１０の動作を統括的に制御する。操作・表示部１１６は、ユーザーからの操作入力を受け付ける操作部と、Ｘ線画像や各種の情報を表示する表示部を備えて構成されている。
【００２３】
ネットワーク１２０は、Ｘ線画像撮影装置１１０、ＲＩＳ１３０、ＰＡＣＳ１４０、Ｖｉｅｗｅｒ１５０、並びに、プリンタ１６０−１及び１６０−２を、相互に通信可能に接続する。
【００２４】
ＲＩＳ１３０は、放射線部門内の情報システムである。ＰＡＣＳ１４０は、Ｘ線画像撮影装置１１０で撮影されたＸ線画像を保存・管理する画像サーバである。Ｖｉｅｗｅｒ１５０は、診断用のＸ線画像を出力するものである。プリンタ１６０−１及び１６０−２は、診断用のＸ線画像を印刷出力するものである。
【００２５】
次に、図１に示すＸ線画像処理システム１００の簡単な処理の流れについて説明する。
Ｘ線画像撮影制御部１１５は、ＲＩＳ１３０から被写体である患者２００の撮影オーダーを受信すると、当該撮影オーダーに応じた、Ｘ線管球の管電流や管電圧、Ｘ線の照射時間等の撮影条件をＸ線発生制御部１１２へ送る。そして、照射ボタン（不図示）が押されると、Ｘ線発生制御部１１２は、Ｘ線画像撮影制御部１１５からの撮影条件に応じて、Ｘ線発生部１１１のＸ線管球に高電圧等を供給し、Ｘ線発生部１１１からＸ線を発生させる。
【００２６】
そして、センサ１１３は、患者２００を透過したＸ線を電気信号（電荷）として検出する。センサユニット１１４は、センサ１１３で検出された患者２００の透過Ｘ線量に相当する電荷をＡ／Ｄ変換して、これをＸ線画像としてＸ線画像撮影制御部１１５へ転送する。Ｘ線画像撮影制御部１１５は、受信したＸ線画像に様々な補正処理や画像処理を施し、処理後のＸ線画像を、ＰＡＣＳ１４０へ保存すると共に、必要に応じて、Ｖｉｅｗｅｒ１５０やプリンタ１６０−１、１６０−２に出力して診断が行われる。
【００２７】
図２は、本発明の第１の実施形態を示し、図１に示すＸ線画像撮影制御部１１５の主要な機能構成の一例を示す模式図である。ここで、図２では、Ｘ線画像撮影制御部１１５−１として記載する。
【００２８】
Ｘ線画像撮影制御部１１５−１は、図２に示すように、画像入力部２１０と、画像処理部２２０と、切り出し制御部２３０と、出力デバイス情報保持用メモリ２４０と、画像配置情報保持用メモリ２５０を有して構成されている。さらに、Ｘ線画像撮影制御部１１５−１は、図２に示すように、切り出し開始位置入力部２６０と、切り出し領域入力部２７０と、画像出力部２８０を有して構成されている。
【００２９】
切り出し制御部２３０は、空き領域算出部２３１と、切り出し可能領域算出部２３２と、画像サイズ変更部２３３と、画像配置部２３４を有して構成されている。
【００３０】
画像入力部２１０は、Ｘ線発生部１１１からＸ線が患者２００に照射された後、センサ１１３の有効画素領域の全てのデジタルデータ（Ｘ線画像データ）をセンサユニット１１４から取得し、Ｘ線画像撮影制御部１１５−１の内部に入力する。
【００３１】
画像処理部２２０は、画像入力部２１０で取得し入力されたＸ線画像データに対して所定の画像処理を行う。
【００３２】
出力デバイス情報保持用メモリ２４０には、Ｘ線画像を出力可能な出力デバイス（例えば、プリンタ１６０−１及び１６０−２等）の有効画素数や画素ピッチ等の出力デバイス情報が保存されている。また、画像配置情報保持用メモリ２５０には、既に、出力デバイスに対応する出力領域に配置済みのＸ線画像の画像サイズやその配置位置等の画像配置情報が保存されている。
【００３３】
切り出し制御部２３０は、出力デバイスに対応する出力領域に対する空き領域に基づいてＸ線画像の切り出しの制御を行う。
【００３４】
まず、空き領域算出部２３１は、出力デバイス情報保持用メモリ２４０から出力先の出力デバイス情報及び画像配置情報保持用メモリ２５０から既に出力領域に配置済みのＸ線画像の画像配置情報を取得して、これらの情報に基づいて、空き領域を算出する。即ち、空き領域算出部２３１は、出力領域に対する画像の出力可能領域を算出する出力可能領域算出手段を構成する。
【００３５】
切り出し開始位置入力部２６０は、指定された切り出し開始位置の情報（具体的には、切り出し開始位置の座標情報）を切り出し可能領域算出部２３２に対して入力する。この切り出し開始位置入力部２６０は、第１の入力手段を構成する。そして、切り出し可能領域算出部２３２は、空き領域算出部２３１で算出された空き領域の情報と、切り出し開始位置入力部２６０から入力された切り出し開始位置の情報に基づいて、切り出し可能な領域である切り出し可能領域を算出する。
【００３６】
切り出し領域入力部２７０は、切り出し開始位置を基準にして指定された切り出し範囲に係る切り出し領域の情報を画像サイズ変更部２３３や画像配置部２３４に対して入力する。この切り出し領域入力部２７０は、第２の入力手段を構成する。画像サイズ変更部２３３は、切り出し領域入力部２７０から入力された切り出し領域、もしくは、切り出し可能領域算出部２３２で算出された切り出し可能領域に基づく適切な切り出し領域で、当該Ｘ線画像の画像サイズを変更する。そして、画像サイズ変更部２３３は、当該画像サイズの情報を画像配置情報保持用メモリ２５０に保存し、また、画像配置部２３４に出力する。
【００３７】
画像配置部２３４は、画像サイズ変更部２３３からの画像サイズの情報、切り出し領域入力部２７０からの切り出し領域の情報に基づいて、出力領域に対するＸ線画像（切り出し画像）の配置位置を決定する。そして、画像配置部２３４は、決定した当該切り出し画像の配置位置の情報を画像配置情報保持用メモリ２５０に保存する。
【００３８】
画像出力部２８０は、切り出し制御部２３０の処理により出力する全てのＸ線画像が出力領域に配置されると、設定された出力先の出力デバイスに当該Ｘ線画像に基づくＸ線画像データを出力する。
【００３９】
図３は、本発明の第１の実施形態を示し、図１に示すＸ線画像撮影制御部１１５による画像処理方法の処理手順の一例を示すフローチャートである。具体的に、図３は、図２に示すＸ線画像撮影制御部１１５−１の切り出し制御部２３０における処理のフローチャートである。
【００４０】
ここで、図３のフローチャートの説明を行う前に、図４〜図６に示す表示画面について説明する。
【００４１】
図４は、本発明の第１の実施形態を示し、図１に示す操作・表示部１１６に表示される設定画面４００の一例を示す模式図である。具体的に、図４には、切り出し領域の設定画面４００が示されている。
【００４２】
図４に示す設定画面４００には、次の操作を指示するメッセージ表示部４１０、患者情報を入力するための患者情報入力部４２０、Ｘ線発生部１１１に関する様々な情報（Ｘ線パラメータ）を表示するＸ線パラメータ表示部４３０が設けられている。さらに、設定画面４００には、取得済み画像を表示するサムネイル画像表示部４４０、取得済み画像のプレビューを表示するプレビュー画像表示部４５０、選択された画像の画像処理パラメータを変更するための画像処理パラメータ変更部４６０も設けられている。さらに、設定画面４００には、次へボタン４７０、出力イメージボタン４８０が設けられている。
【００４３】
画像処理パラメータ変更部４６０は、画像処理の種類ごとにタブ４６１で切り替えられ、図４に示す例では、Ｘ線画像の反転や回転などの「幾何」処理が選択された場合を示している。そして、この「幾何」処理の場合には、例えば、Ｘ線画像の回転及び反転ボタン４６２や、切り出し処理用ボタン４６３が設けられる。
【００４４】
取得済み画像を表示するサムネイル画像表示部４４０では、プレビュー画像表示部４５０に表示するＸ線画像の切り替えが可能となっており、現在表示されている画像は、一例として、太枠４４２で区別して表示される。また、既に切り出し設定が行われている場合には、切り出し枠４４１がサムネイル画像上にも表示される。
【００４５】
プレビュー画像表示部４５０において、切り出し開始位置４５１は、操作者により指定された切り出し開始位置である。この切り出し開始位置４５１が指定されると、プレビュー画像表示部４５０には、切り出し可能領域４５２、４５３、及び、切り出し不可能領域４５４、４５５が表示される。具体的に、このプレビュー画像表示部４５０には、切り出し可能領域４５２及び４５３と、切り出し不可能領域４５４及び４５５とが背景色を変えて区別して表示されている。
【００４６】
また、操作者により次へボタン４７０が操作されると、次の処理へ遷移する。また、操作者により出力イメージボタン４８０が操作されると、確定している出力イメージ確認画面５００（図５）、出力イメージ確認画面６００（図６）が、操作・表示部１１６に表示される。
【００４７】
図５は、本発明の第１の実施形態を示し、図１に示す操作・表示部１１６に表示される出力イメージ確認画面５００の一例を示す模式図である。
図５に示す出力イメージ確認画面５００には、出力デバイスに対応する出力領域に配置済みのＸ線画像の出力イメージを表示する出力イメージ表示部５１０が設けられている。また、この出力イメージ表示部５１０から、空き領域５１１、５１２の確認ができる。また、図５に示す出力イメージ確認画面５００には、出力デバイスの詳細な情報を表示する出力デバイス情報表示部５２０が表示される。また、図５に示す出力イメージ確認画面５００には、ＯＫボタン５３０が設けられており、このＯＫボタン５３０が操作（押下）されると、図４に示す切り出し領域の設定画面４００に戻るようになっている。
【００４８】
図６は、本発明の第１の実施形態を示し、図１に示す操作・表示部１１６に表示される出力イメージ確認画面６００の一例を示す模式図である。
図６に示す出力イメージ確認画面６００は、図５に示す出力イメージ確認画面５００の出力イメージ表示部５１０（より具体的には、空き領域５１１）に、Ｘ線画像６１１が追加された出力イメージ表示部６１０を示している。図６に示す出力イメージ確認画面６００には、図５に示す出力イメージ確認画面５００と同様に、出力デバイスの詳細な情報を表示する出力デバイス情報表示部６２０が表示される。また、図６に示す出力イメージ確認画面６００には、図５に示す出力イメージ確認画面５００と同様に、ＯＫボタン６３０が設けられており、このＯＫボタン６３０が操作（押下）されると、図４に示す切り出し領域の設定画面４００に戻るようになっている。
【００４９】
次に、図１〜図６を用いて、第１の実施形態に係るＸ線画像処理システム１００の全体の処理の流れについて説明する。
【００５０】
患者２００は、外来受付を済ませて、例えば、医師の診断により胸部正面と胸部側面のＸ線画像の撮影が必要と判断されると、Ｘ線撮影室へ移動する。そして、医師から発行された検査オーダーは、ＲＩＳ１３０を介して、Ｘ線画像撮影制御部１１５へ送信される。放射線技師（操作者）は、操作・表示部１１６の表示画面から患者２００の検査オーダーを選択して、当該検査オーダーに係る撮影（撮影オーダー）を開始する。
【００５１】
放射線技師（操作者）により照射ボタン（不図示）が押下されると、Ｘ線発生制御部１１２は、Ｘ線画像撮影制御部１１５からの撮影条件に応じて、Ｘ線発生部１１１からＸ線を発生させる。そして、センサ１１３は、患者２００を透過したＸ線を電気信号（電荷）として検出し、センサユニット１１４は、センサ１１３で検出した患者２００の透過Ｘ線量に相当する電荷をＡ／Ｄ変換して、これをＸ線画像としてＸ線画像撮影制御部１１５へ転送する。
【００５２】
そして、センサユニット１１４から転送されたＸ線画像は、図２に示すＸ線画像撮影制御部１１５−１の画像入力部２１０に読み込まれる。
【００５３】
その後、図２に示す画像処理部２２０は、画像入力部２１０から読み込まれたＸ線画像に対して、予め設定された補正処理や階調処理、周波数処理等の所定の画像処理を施す。その後、画像処理部２２０で画像処理されたＸ線画像は、操作・表示部１１６の表示画面（例えば、図４に示す切り出し領域の設定画面４００）に表示される。その後、放射線技師（操作者）は、操作・表示部１１６に表示された、例えば、図４に示す切り出し領域の設定画面４００を用いて、出力するＸ線画像の切り出し範囲を指定する。この切り出し範囲が指定された際の切り出し制御部２３０（図２）による切り出し制御処理について、図２及び図３等を用いて説明する。
【００５４】
まず、空き領域算出部２３１は、出力デバイス情報保持用メモリ２４０から、出力先として設定されている出力デバイスに関するサイズや画素ピッチ等の出力デバイス情報を取得する。例えば、出力先の出力デバイスがプリンタ１と設定されている場合、プリンタ１に対応するプリンタ１６０−１の出力デバイス情報として、例えば、画素ピッチが８０μｍ、フィルムサイズの幅が４２６８ピクセル、高さが５１０８ピクセルといった情報を取得する。
【００５５】
さらに、空き領域算出部２３１は、画像配置情報保持用メモリ２５０から、現在、出力領域に配置済みのＸ線画像の画像サイズやその配置位置等の画像配置情報を取得する。ここでは、例えば、既に１枚のＸ線画像が配置されており、センサ１１３の画素ピッチ１６０μｍで切り出しサイズの幅が２０００ピクセル、高さが１４００ピクセル、配置位置の始点（Ｘ，Ｙ）が左上を原点として（０，０）といった情報を取得する。
【００５６】
そして、図３のステップＳ１０１において、空き領域算出部２３１は、出力デバイス情報保持用メモリ２４０から取得した出力デバイス情報、及び、画像配置情報保持用メモリ２５０から取得した画像配置情報に基づいて、出力領域に対する空き領域を算出する。ここで、出力領域は、例えば、出力先の出力デバイスがプリンタ１（プリンタ１６０−１）と設定されている場合、当該プリンタ１に対応する出力領域であり、出力デバイス情報に基づくものである。
【００５７】
この場合、プリンタ１（プリンタ１６０−１）の出力領域は、画素ピッチと有効画素数を掛け合わせたサイズであり、縦（高さ）４０８．６４ｍｍ×横（幅）３４１．１１ｍｍとなる。また、上述した例では、配置済みの画像サイズは、縦（高さ）２２４ｍｍ×横（幅）３２０ｍｍなので、空き領域は、縦１８４．６４ｍｍ×横３４１．１１ｍｍ（図５の空き領域５１１）又は縦４０８．６４ｍｍ×横２１．１１ｍｍ（図５の空き領域５１２）となる。
【００５８】
なお、画像配置情報保持用メモリ２５０から取得した結果、現在、出力領域に配置済みの画像が１枚もない場合、空き領域算出部２３１は、出力デバイス情報保持用メモリ２４０より取得した出力デバイスに対応する出力領域を空き領域として算出する。
【００５９】
その後、放射線技師（操作者）が、図４に示す切り出し領域の設定画面４００で切り出し開始位置４５１を指定すると、切り出し開始位置入力部２６０は、切り出し開始位置４５１の情報を切り出し可能領域算出部２３２に対して入力する。
【００６０】
続いて、図３のステップＳ１０２において、切り出し可能領域算出部２３２は、切り出し開始位置入力部２６０から入力された切り出し開始位置情報と、ステップＳ１０１で算出された空き領域に基づいて、切り出し可能領域を算出する。例えば、切り出し開始位置（Ｘ，Ｙ）が（０，４００）である場合、切り出し可能領域は、幅２１．１１ｍｍ、高さ３４４．６４ｍｍ（図４の切り出し可能領域４５２）、及び、幅３４１．１１ｍｍ、高さ１８４．６４ｍｍ（図４の切り出し可能領域４５３）となる。
【００６１】
続いて、図３のステップＳ１０３において、Ｘ線画像撮影制御部１１５（例えば、切り出し可能領域算出部２３２）は、ステップＳ１０２で算出した切り出し可能領域を、操作・表示部１１６（図４の切り出し領域の設定画面４００）に表示する。具体的に、ステップＳ１０３では、図４に示すプレビュー画像表示部４５０にＸ線画像とともに、切り出し可能領域を、当該Ｘ線画像上に切り出し可能領域４５２、４５３として表示して、可視化する（切り出し可能領域表示ステップ）。
【００６２】
この際、Ｘ線画像撮影制御部１１５は、図４に示す切り出し可能領域４５２及び４５３以外のＸ線画像上の切り出し不可能領域４５４及び４５５については、例えば、マスク等により切り出し可能領域４５２及び４５３と区別（識別）して表示する。なお、図４に示す切り出し可能領域４５２及び４５３と切り出し不可能領域４５４及び４５５とを区別（識別）して表示する方法は、このマスクに限らず他の方法を用いるようにしてもよい。
【００６３】
その後、放射線技師（操作者）が、図４に示す切り出し領域の設定画面４００において、切り出し開始位置４５１を基準として切り出し終了位置を指定し、切り出し領域を指定すると、切り出し領域入力部２７０は、当該切り出し領域の情報の入力を行う。具体的に、切り出し領域入力部２７０は、切り出し領域の情報を画像サイズ変更部２３３や画像配置部２３４に対して入力する。
【００６４】
ここで、上述した切り出し開始位置入力部２６０及び切り出し領域入力部２７０は、例えば、マウスなどのポインティングデバイスで構成することが考えられる。この場合、例えば、切り出し開始位置入力部２６０は、放射線技師（操作者）による当該マウスの１回目の右クリックを切り出し開始位置として、その座標の情報の入力を行う。また、切り出し領域入力部２７０は、放射線技師による当該マウスの２回目の右クリックにより、１回目の右クリックで指定された切り出し開始位置から２回目にクリックされた切り出し終了位置までの矩形領域を切り出し領域として、その座標の情報の入力を行う。
【００６５】
続いて、図３のステップＳ１０４において、例えば画像サイズ変更部２３３は、切り出し領域入力部２７０から入力された切り出し領域のサイズが、ステップＳ１０２で算出された切り出し可能領域に基づく切り出し可能範囲内であるか否かを判断する。
【００６６】
図３のステップＳ１０４の判断の結果、切り出し領域入力部２７０から入力された切り出し領域のサイズが、切り出し可能範囲内である場合には、図３のステップＳ１０５に進む。
【００６７】
図３のステップＳ１０５に進むと、画像サイズ変更部２３３は、切り出し領域入力部２７０から入力された切り出し領域のサイズ、即ち、放射線技師（操作者）によって指定された切り出し領域のサイズで、当該Ｘ線画像の画像サイズを変更する。ここで、設定された画像サイズの情報は、画像配置情報保持用メモリ２５０に保持される。そして、Ｘ線画像撮影制御部１１５（例えば、切り出し制御部２３０）は、画像サイズ変更部２３３で変更された画像サイズ、即ち放射線技師（操作者）によって指定された切り出し領域のサイズで切り出し枠を図４に示す切り出し領域の設定画面４００に表示する。その後、図３のステップＳ１０７に進む。
【００６８】
一方、図３のステップＳ１０４の判断の結果、切り出し領域入力部２７０から入力された切り出し領域のサイズが、切り出し可能範囲内でない（即ち、範囲外である）場合には、図３のステップＳ１０６に進む。
【００６９】
図３のステップＳ１０６に進むと、画像サイズ変更部２３３は、切り出し領域入力部２７０からの切り出し領域を無効とし、ステップＳ１０２で算出された切り出し可能領域に基づく切り出し可能範囲の最大サイズで、当該Ｘ線画像の画像サイズを変更する。ここで、設定された画像サイズの情報は、画像配置情報保持用メモリ２５０に保持される。そして、Ｘ線画像撮影制御部１１５（例えば、切り出し制御部２３０）は、画像サイズ変更部２３３で変更された画像サイズ、即ち切り出し可能範囲の最大サイズで切り出し枠を図４に示す切り出し領域の設定画面４００に表示する。その後、図３のステップＳ１０７に進む。
【００７０】
図３のステップＳ１０７に進むと、画像配置部２３４は、ステップＳ１０５又はステップＳ１０６で切り出したＸ線画像を出力領域の配置可能な空き領域に配置する（例えば、図６のＸ線画像６１１の配置表示：画像表示ステップ）。
【００７１】
なお、放射線技師（操作者）は、切り出し領域を指定する前後に、適宜、図４に示す出力イメージボタン４８０を押下し、Ｘ線画像撮影制御部１１５は、これを検知して、出力イメージ確認画面５００（図５）、６００（図６）を操作・表示部１１６に表示する。そして、放射線技師（操作者）は、操作・表示部１１６に表示された出力イメージ確認画面を参照して、診断に必要な観察領域が含まれるか、空き領域はどれくらいかといった情報を確認する。また、切り出し領域を指定するタイミングは、撮影オーダーごとに行っても１つの検査オーダーにおける全ての撮影オーダーが終了してからまとめて行ってもよい。また、１つの出力領域に配置するＸ線画像は、異なる画像はもちろん、同一画像上に複数の切り出し領域を設定することも可能である。
【００７２】
ここで、同一画像上で、複数の切り出し領域を設定する場合、放射線技師（操作者）は、図４に示す切り出し処理用ボタン４６３の新規ボタンを押下し、Ｘ線画像撮影制御部１１５は、この操作に基づき切り出し領域の追加処理を行う。また、切り出し領域の変更や削除を行う場合、放射線技師（操作者）は、プレビュー画像表示部４５０より対象となる切り出し枠を選択し、切り出し処理用ボタン４６３の変更ボタンや削除ボタンを押下する。そして、Ｘ線画像撮影制御部１１５は、この操作に基づき切り出し領域の変更処理や削除処理を行う。
【００７３】
そして、画像出力部２８０は、切り出し制御部２３０の処理により出力する全てのＸ線画像が出力領域に配置されると、指定された出力先の出力デバイスに当該Ｘ線画像に基づくＸ線画像データを出力する。
【００７４】
このように、第１の実施形態では、操作者が切り出し領域を指定する際、出力領域に対する空き領域と操作者の指定した切り出し開始位置に応じて切り出し可能領域を可視化することが可能なため、操作者の切り出し操作の負担を軽減することができる。また、出力領域に適切な画像サイズのＸ線画像を配置することにより、操作者は、出力イメージを確認しながら操作を進めることができ、操作者が意図しない画像領域でＸ線画像が切り出されることを防止することができる。さらに、切り出し可能領域よりも大きなサイズで切り出し領域が指定されることを防ぐことができるため、切り出し領域の設定操作の繰り返しを低減できる。
【００７５】
したがって、第１の実施形態によれば、出力デバイスに対応する出力領域に複数の画像を配置する際に、操作者の操作性を向上させ、適切な観察環境の確保を実現することが可能となる。
【００７６】
（第２の実施形態）
次に、本発明の第２の実施形態について説明する。
本発明の第２の実施形態は、切り出し領域の算出方法のバリエーションとして、切り出し画像の回転及び出力領域の回転を追加し、かつ、操作者が任意に算出方法を設定した場合の形態である。なお、第２の実施形態に係るＸ線画像処理システムの概略構成は、図１に示す第１の実施形態に係るＸ線画像処理システム１００と同様である。
【００７７】
図７は、本発明の第２の実施形態を示し、図１に示すＸ線画像撮影制御部１１５の主要な機能構成の一例を示す模式図である。ここで、図７では、Ｘ線画像撮影制御部１１５−２として記載する。ここで、図７においては、図２に示す構成と同様の機能構成については、同じ符号を付しており、その詳細な説明は省略する。
【００７８】
Ｘ線画像撮影制御部１１５−２は、図７に示すように、図２に示すＸ線画像撮影制御部１１５−１に対して、切り出し情報入力部７１０及び切り出し情報保持用メモリ７２０を追加し、切り出し制御部２３０に替えて切り出し制御部７３０を構成したものである。そして、切り出し制御部７３０は、空き領域算出部７３１と、切り出し可能領域算出部７３２と、画像サイズ変更部７３３と、画像配置部７３４を有して構成されている。
【００７９】
切り出し情報入力部７１０は、切り出し領域を算出する際の算出条件（例えば、切り出し画像及び出力領域の回転に係る条件等）や表示時の線種、配置可能領域が複数ある際の優先順位等の切り出し情報を入力する。この切り出し情報入力部７１０によって入力された切り出し情報は、切り出し情報保持用メモリ７２０に保存される。
【００８０】
切り出し制御部７３０は、切り出し情報保持用メモリ７２０に設定された切り出し領域の算出方法に基づいてＸ線画像の切り出しの制御を行う。
【００８１】
まず、空き領域算出部７３１は、切り出し情報保持用メモリ７２０から、切り出し画像の回転が有効か、出力領域の回転が有効かといった切り出し領域の算出条件を取得する。なお、ここでの回転とは、９０度回転を意味する。さらに、空き領域算出部７３１は、出力デバイス情報保持用メモリ２４０から出力先の出力デバイス情報及び画像配置情報保持用メモリ２５０から既に出力領域に配置済みのＸ線画像の画像配置情報を取得し、これらの情報及び算出条件に基づき空き領域を算出する。
【００８２】
切り出し可能領域算出部７３２は、空き領域算出部７３１で算出された空き領域の情報と、切り出し開始位置入力部２６０から入力された切り出し開始位置の情報に基づいて、切り出し可能な領域である切り出し可能領域を算出する。この際、Ｘ線画像撮影制御部１１５（例えば、切り出し制御部７３０の切り出し可能領域算出部７３２）は、切り出し情報保持用メモリ７２０から線種や表示条件等の情報を取得し、切り出し可能領域を操作・表示部１１６に表示する。
【００８３】
画像サイズ変更部７３３は、切り出し領域入力部２７０から入力された切り出し領域、もしくは、切り出し可能領域算出部７３２で算出された切り出し可能領域に基づく適切な切り出し領域で、当該Ｘ線画像の画像サイズを変更する。そして、画像サイズ変更部７３３は、当該画像サイズの情報を画像配置情報保持用メモリ２５０に保存し、また、画像配置部７３４に出力する。
【００８４】
画像配置部７３４は、画像サイズ変更部７３３からの画像サイズの情報、切り出し領域入力部２７０からの切り出し領域の情報に基づいて、出力領域に対するＸ線画像（切り出し画像）の配置位置を決定する。この際、画像配置部７３４は、配置可能領域が複数存在する場合には、切り出し情報保持用メモリ７２０から配置領域の優先順位の情報を取得し、出力領域に対するＸ線画像（切り出し画像）の配置位置を決定する。そして、画像配置部２３４は、決定した当該切り出し画像の配置位置の情報を画像配置情報保持用メモリ２５０に保存する。
【００８５】
図８は、本発明の第２の実施形態を示し、図１に示すＸ線画像撮影制御部１１５による画像処理方法の処理手順の一例を示すフローチャートである。具体的に、図８は、図７に示すＸ線画像撮影制御部１１５−２の切り出し制御部７３０における処理のフローチャートである。
【００８６】
ここで、図３のフローチャートの説明を行う前に、図９〜図１１に示す表示画面について説明する。
【００８７】
図９は、本発明の第２の実施形態を示し、図１に示す操作・表示部１１６に表示される設定画面９００の一例を示す模式図である。具体的に、図９には、切り出し情報の設定画面９００が示されている。
【００８８】
図９に示す設定画面９００には、切り出し情報設定部９１０が設けられている。この切り出し情報設定部９１０には、切り出し領域の算出条件として、出力領域の回転の有効／無効切り替え用ラジオボタン９１１や切り出し画像の回転の有効／無効切り替え用ラジオボタン９１２が設けられている。また、切り出し情報設定部９１０には、切り出し画像の画像サイズが複数の切り出し可能領域に配置可能な場合に優先する切り出し領域の優先順位を設定するコントロール部９１３や、切り出し枠の線種を設定するコントロール部９１４も設けられている。また、図９に示す設定画面９００において、キャンセルボタン９２０が押下されると、変更した設定は無効になり、また、ＯＫボタン９３０が押下されると、変更された設定を反映して元の画面に戻る。
【００８９】
図１０は、本発明の第２の実施形態を示し、図１に示す操作・表示部１１６に表示される設定画面１０００の一例を示す模式図である。具体的に、図１０には、切り出し領域の設定画面１０００が示されている。
【００９０】
図１０に示す設定画面１０００には、次の操作を指示するメッセージ表示部１０１０、患者情報を入力するための患者情報入力部１０２０、Ｘ線発生部１１１に関する様々な情報（Ｘ線パラメータ）を表示するＸ線パラメータ表示部１０３０が設けられている。さらに、設定画面１０００には、取得済み画像を表示するサムネイル画像表示部１０４０、取得済み画像のプレビューを表示するプレビュー画像表示部１０５０、選択された画像の画像処理パラメータを変更する画像処理パラメータ変更部１０６０も設けられている。さらに、設定画面１０００には、次へボタン１０７０、出力イメージボタン１０８０が設けられている。
【００９１】
画像処理パラメータ変更部１０６０は、画像処理の種類ごとにタブ１０６１で切り替えられ、図１０に示す例では、反転や回転などの「幾何」処理が選択された場合を示している。そして、この「幾何」処理の場合には、例えば、回転及び反転ボタン１０６２や、切り出し処理用ボタン１０６３、切り出し可能領域枠の表示を切り替えるコントロール部１０６４が設けられている。このコントロール部１０６４の選択に基づき、切り出し可能領域枠がプレビュー画像表示部１０５０に反映されて表示される。
【００９２】
プレビュー画像表示部１０５０において、切り出し開始位置１０５１は、操作者により指定された切り出し開始位置である。この切り出し開始位置１０５１が指定されると、プレビュー画像表示部１０５０には、切り出し可能領域１０５２、１０５３、１０５４、１０５５、及び、切り出し不可能領域１０５６、１０５７が表示される。具体的に、このプレビュー画像表示部１０５０には、切り出し可能領域１０５２、１０５３、１０５４及び１０５５と、切り出し不可能領域１０５６及び１０５７とが背景色を変えて区別して表示されている。
【００９３】
また、操作者により次へボタン１０７０が操作されると、次の処理へ遷移する。また、操作者により出力イメージボタン１０８０が操作されると、確定している出力イメージ確認画面が、操作・表示部１１６に表示される。
【００９４】
図１１は、本発明の第２の実施形態を示し、図１に示す操作・表示部１１６に表示される、出力領域の非回転時の空き領域を示す画面１１１０及び出力領域の回転時の空き領域を示す画面１１２０の一例を示す模式図である。
【００９５】
ここで、図１１（ａ）に、出力領域の非回転時の空き領域（１１１１、１１１２）を示す画面１１１０を示し、図１１（ｂ）に、出力領域の回転時の空き領域（１１２１、１１２２）を示す画面１１２０を示す。
【００９６】
次に、図１、図７〜図１１を用いて、第２の実施形態に係るＸ線画像処理システム１００の全体の処理の流れについて説明する。
【００９７】
第２の実施形態においても、患者２００が医師による診断を受け、撮影が行われるまでの流れは第１の実施形態と同様であるため、その説明は省略する。放射線技師（操作者）は、操作・表示部１１６に表示された、例えば、図１０に示す切り出し領域の設定画面１０００を用いて、出力するＸ線画像の切り出し範囲を指定する。この切り出し範囲が指定された際の切り出し制御部７３０（図７）による切り出し制御処理について、図７及び図８等を用いて説明する。
【００９８】
まず、空き領域算出部７３１は、切り出し情報保持用メモリ７２０から、切り出し画像の回転が有効か、出力領域の回転が有効かといった切り出し領域の算出条件を取得する。ここで、切り出し領域の算出条件は、空き領域の算出条件ということもできる。ここでは、いずれの回転も有効に設定されているものとする。また、空き領域算出部７３１は、出力デバイス情報保持用メモリ２４０から、出力先として設定されている出力デバイスに関するサイズや画素ピッチ等の出力デバイス情報を取得する。例えば、出力先の出力デバイスがプリンタ１と設定されている場合、プリンタ１に対応するプリンタ１６０−１の出力デバイス情報として、例えば、画素ピッチが８０μｍ、フィルムサイズの幅が４２６８ピクセル、高さが５１０８ピクセルといった情報を取得する。
【００９９】
さらに、空き領域算出部２３１は、画像配置情報保持用メモリ２５０から、現在、出力領域に配置済みのＸ線画像の画像サイズやその配置位置等の画像配置情報を取得する。ここでは、例えば、既に１枚のＸ線画像が配置されており、センサ１１３の画素ピッチ１６０μｍで切り出しサイズの幅が２０００ピクセル、高さが１４００ピクセル、配置位置の始点（Ｘ，Ｙ）が左上を原点として（０，０）といった情報を取得する。
【０１００】
そして、図８のステップＳ２０１において、空き領域算出部７３１は、切り出し領域の算出条件として、出力領域の回転が有効か否かを判断する。
【０１０１】
図８のステップＳ２０１の判断の結果、切り出し領域の算出条件として、出力領域の回転が有効である場合には、図８のステップＳ２０２に進む。
【０１０２】
図８のステップＳ２０２に進むと、空き領域算出部７３１は、出力領域に配置済みのＸ線画像が出力領域の回転時に配置可能か否かを判断する。
【０１０３】
図８のステップＳ２０２の判断の結果、出力領域に配置済みのＸ線画像が出力領域の回転時に配置可能である場合には、図８のステップＳ２０３に進む。
【０１０４】
図８のステップＳ２０３に進むと、空き領域算出部７３１は、出力デバイス情報保持用メモリ２４０から取得した出力デバイス情報と画像配置情報保持用メモリ２５０から取得した画像配置情報に基づいて、出力領域の回転時と非回転時の空き領域を算出する。
【０１０５】
本例では、算出条件として出力領域の回転が有効であり、回転時の出力領域の縦３４１．１１ｍｍ×横４０８．６４ｍｍに対して配置済みのＸ線画像の縦２２４ｍｍ×横３２０ｍｍが配置可能なので、出力領域の回転時及び非回転時の空き領域が算出される。この場合、非回転時の空き領域は、縦１８４．６４ｍｍ×横３４１．１１ｍｍ（図１１の空き領域１１１１）もしくは縦４０８．６４ｍｍ×横２１．１１ｍｍ（図１１の空き領域１１１２）となる。また、回転時の空き領域は、縦１１７．１１ｍｍ×横４０８．６４ｍｍ（図１１の空き領域１１２１）もしくは縦３４１．１１ｍｍ×横８８．６４ｍｍ（図１１の空き領域１１２２）となる。
【０１０６】
そして、放射線技師（操作者）が、切り出し領域の設定画面１０００で切り出し開始位置１０５１を指定すると、続いて、図８のステップＳ２０４において、切り出し可能領域算出部７３２は、切り出し画像の回転が有効か否かを判断する。
【０１０７】
図８のステップＳ２０４の判断の結果、切り出し画像の回転が有効である場合には、図８のステップＳ２０５に進む。
図８のステップＳ２０５に進むと、切り出し可能領域算出部７３２は、指定された切り出し開始位置１０５１とステップＳ２０３で算出された空き領域に基づいて、切り出し画像の回転時及び非回転時の切り出し可能領域を算出する。
【０１０８】
ここで、本例では、切り出し画像の回転が有効となっているので、切り出し開始位置（Ｘ，Ｙ）が（０，４００）とすると、ステップＳ２０３で算出された空き領域から全部で８パターンの切り出し可能領域が算出されることになる。
【０１０９】
一方、図８のステップＳ２０４の判断の結果、切り出し画像の回転が有効でない（無効である）場合には、図８のステップＳ２０６に進む。
図８のステップＳ２０６に進むと、切り出し可能領域算出部７３２は、指定された切り出し開始位置１０５１とステップＳ２０３で算出された空き領域に基づいて、切り出し画像の非回転時の切り出し可能領域を算出する。
【０１１０】
また、図８のステップＳ２０１で出力領域の回転が有効でないと（無効である）判断された場合、或いは、図８のステップＳ２０２で出力領域に配置済みのＸ線画像が出力領域の回転時に配置可能でないと判断された場合には、図８のステップＳ２０７に進む。
【０１１１】
図８のステップＳ２０７に進むと、空き領域算出部７３１は、出力デバイス情報保持用メモリ２４０から取得した出力デバイス情報と画像配置情報保持用メモリ２５０から取得した画像配置情報に基づいて、出力領域の非回転時の空き領域を算出する。
【０１１２】
そして、放射線技師（操作者）が、切り出し領域の設定画面１０００で切り出し開始位置１０５１を指定すると、続いて、図８のステップＳ２０８において、切り出し可能領域算出部７３２は、切り出し画像の回転が有効か否かを判断する。
【０１１３】
図８のステップＳ２０８の判断の結果、切り出し画像の回転が有効である場合には、図８のステップＳ２０９に進む。
図８のステップＳ２０９に進むと、切り出し可能領域算出部７３２は、指定された切り出し開始位置１０５１とステップＳ２０７で算出された空き領域に基づいて、切り出し画像の回転時及び非回転時の切り出し可能領域を算出する。
【０１１４】
一方、図８のステップＳ２０８の判断の結果、切り出し画像の回転が有効でない（無効である）場合には、図８のステップＳ２１０に進む。
図８のステップＳ２１０に進むと、切り出し可能領域算出部７３２は、指定された切り出し開始位置１０５１とステップＳ２０７で算出された空き領域に基づいて、切り出し画像の非回転時の切り出し可能領域を算出する。
【０１１５】
図８のステップＳ２０５、ステップＳ２０６、ステップＳ２０９、或いは、ステップＳ２１０の処理が終了すると、図８のステップＳ２１１に進む。
図８のステップＳ２１１に進むと、Ｘ線画像撮影制御部１１５（例えば、切り出し可能領域算出部７３２）は、ステップＳ２０５、Ｓ２０６、Ｓ２０９或いはＳ２１０で算出した切り出し可能領域を、図１０の切り出し領域の設定画面１０００に表示する。ステップＳ２１１では、図１０に示すプレビュー画像表示部１０５０にＸ線画像とともに、コントロール部１０６４の設定に基づき、切り出し可能領域に係る切り出し可能領域枠を、当該Ｘ線画像上に表示して、可視化する（切り出し可能領域表示ステップ）。
【０１１６】
ここで、図１０のコントロール部１０６４で標準＋画像回転が選択された際の切り出し可能領域は、図１０のプレビュー画像表示部４５０に反映されている。具体的に、出力領域の非回転時の標準枠１０５２、１０５３、及び、出力領域の非回転かつ切り出し画像の回転時の画像回転枠１０５４、１０５５が、それぞれ、コントロール部１０６４で指定された線種で表示されている。
【０１１７】
また、図１０のプレビュー画像表示部４５０の切り出し不可能領域１０５６及び１０５７については、例えば、マスク等により切り出し可能領域と区別（識別）して表示する。なお、この切り出し可能領域と切り出し不可能領域とを区別（識別）して表示する方法は、このマスクに限らず他の方法を用いるようにしてもよい。そして、操作者がコントロール部１０６４で選択を切り替えることで、全ての切り出し可能領域枠の表示や、出力領域の回転＋切り出し画像の回転の切り出し可能領域枠の表示等、操作者の見たい枠を表示することが可能である。
【０１１８】
その後、放射線技師（操作者）が、図１０に示す切り出し領域の設定画面１０００において、切り出し開始位置４５１を基準として切り出し終了位置を指定し、切り出し領域を指定すると、切り出し領域入力部２７０は、当該切り出し領域の情報の入力を行う。具体的に、切り出し領域入力部２７０は、切り出し領域の情報を画像サイズ変更部７３３や画像配置部７３４に対して入力する。
【０１１９】
続いて、図８のステップＳ２１２において、例えば画像サイズ変更部７３３は、切り出し領域入力部２７０からの切り出し領域のサイズが、切り出し可能領域算出部７３２で算出された切り出し可能領域に基づく切り出し可能範囲内であるか否かを判断する。
【０１２０】
図８のステップＳ２１２の判断の結果、切り出し領域入力部２７０から入力された切り出し領域のサイズが、切り出し可能範囲内である場合には、図８のステップＳ２１３に進む。
【０１２１】
図３のステップＳ２１３に進むと、画像サイズ変更部７３３は、切り出し領域入力部２７０から入力された切り出し領域のサイズ、即ち、放射線技師（操作者）によって指定された切り出し領域のサイズで、当該Ｘ線画像の画像サイズを変更する。ここで、設定された画像サイズの情報は、画像配置情報保持用メモリ２５０に保持される。そして、Ｘ線画像撮影制御部１１５（例えば、切り出し制御部７３０）は、画像サイズ変更部７３３で変更された画像サイズ、即ち放射線技師によって指定された切り出し領域のサイズで切り出し枠を図１０に示す切り出し領域の設定画面１０００に表示する。その後、図８のステップＳ２１５に進む。
【０１２２】
一方、図８のステップＳ２１２の判断の結果、切り出し領域入力部２７０から入力された切り出し領域のサイズが、切り出し可能範囲内でない（即ち、範囲外である）場合には、図８のステップＳ２１４に進む。
【０１２３】
図８のステップＳ２１４に進むと、画像サイズ変更部７３３は、切り出し領域入力部２７０からの切り出し領域を無効とし、切り出し可能領域算出部７３２で算出された切り出し可能領域に基づく切り出し可能範囲の最大サイズで、画像の画像サイズを変更する。ここで、設定された画像サイズの情報は、画像配置情報保持用メモリ２５０に保持される。そして、Ｘ線画像撮影制御部１１５（例えば、切り出し制御部７３０）は、画像サイズ変更部７３３で変更された画像サイズ、即ち切り出し可能範囲の最大サイズで切り出し枠を図１０に示す切り出し領域の設定画面１０００に表示する。その後、図８のステップＳ２１５に進む。
【０１２４】
図８のステップＳ２１５に進むと、画像配置部７３４は、ステップＳ２１３又はＳ２１４で切り出したＸ線画像の配置可能領域が複数存在するか否かを判断する。
【０１２５】
図８のステップＳ２１５の判断の結果、ステップＳ２１３又はＳ２１４で切り出したＸ線画像の配置可能領域が複数存在する場合には、図８のステップＳ２１６に進む。
図８のステップＳ２１６に進むと、画像配置部７３４は、切り出し情報保持用メモリ７２０から配置領域の優先順位の情報を取得し、優先順位の高い空き領域に、ステップＳ２１３又はＳ２１４で切り出したＸ線画像を配置する。
【０１２６】
一方、図８のステップＳ２１５の判断の結果、ステップＳ２１３又はＳ２１４で切り出したＸ線画像の配置可能領域が複数存在しない（１つしか存在しない）場合には、図８のステップＳ２１７に進む。
図８のステップＳ２１７に進むと、画像配置部７３４は、ステップＳ２１３又はＳ２１４で切り出したＸ線画像を出力領域の配置可能な空き領域に配置する。
【０１２７】
なお、放射線技師（操作者）は、第１の実施形態と同様に、適宜、出力イメージボタン１０８０を押下し、Ｘ線画像撮影制御部１１５は、これを検知して、出力イメージ確認画面を操作・表示部１１６に表示する。そして、放射線技師（操作者）は、操作・表示部１１６に表示された出力イメージ確認画面を確認する。
【０１２８】
そして、画像出力部２８０は、切り出し制御部７３０の処理により出力する全てのＸ線画像が出力領域に配置されると、指定された出力先の出力デバイスに当該Ｘ線画像に基づくＸ線画像データを出力する。
【０１２９】
第２の実施形態によれば、第１の実施形態における効果に加えて、操作者が切り出し領域を指定する際の切り出し可能領域が増大し、出力領域に対する空き領域を有効に活用することが可能になる。また、フィルム出力した際のコストダウンを可能になる。さらに、空き領域の算出条件を操作者が任意に変更できるため、要求された医師の好みや、集団検診や通常検査等の運用の違いに柔軟に対応することができる。
【０１３０】
（本発明の他の実施形態）
前述した本発明の各実施形態に係るＸ線画像撮影装置を構成する図１、図２、図７の各構成部、並びにＸ線画像処理方法を示す図３及び図８の各ステップは、コンピュータのＣＰＵがＲＡＭやＲＯＭなどに記憶されたプログラムを実行することによって実現できる。このプログラム及び前記プログラムを記録したコンピュータ読み取り可能な記録媒体は本発明に含まれる。
【０１３１】
また、本発明は、例えば、システム、装置、方法、プログラムもしくは記憶媒体等としての実施形態も可能であり、具体的には、複数の機器から構成されるシステムに適用してもよいし、また、１つの機器からなる装置に適用してもよい。
【０１３２】
なお、本発明は、前述した実施形態の機能を実現するソフトウェアのプログラム（実施形態では図３及び図８に示すフローチャートに対応したプログラム）を、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１３３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１３４】
その場合、プログラムの機能を有していれば、オブジェクトコード、インタプリタにより実行されるプログラム、ＯＳに供給するスクリプトデータ等の形態であってもよい。
【０１３５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１３６】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１３７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【０１３８】
また、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１３９】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１４０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１４１】
なお、前述した各実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【図面の簡単な説明】
【０１４２】
【図１】本発明の第１の実施形態に係るＸ線画像処理システムの概略構成の一例を示す模式図である。
【図２】本発明の第１の実施形態を示し、図１に示すＸ線画像撮影制御部の主要な機能構成の一例を示す模式図である。
【図３】本発明の第１の実施形態を示し、図１に示すＸ線画像撮影制御部による画像処理方法の処理手順の一例を示すフローチャートである。
【図４】本発明の第１の実施形態を示し、図１に示す操作・表示部に表示される設定画面の一例を示す模式図である。
【図５】本発明の第１の実施形態を示し、図１に示す操作・表示部に表示される出力イメージ確認画面の一例を示す模式図である。
【図６】本発明の第１の実施形態を示し、図１に示す操作・表示部に表示される出力イメージ確認画面の一例を示す模式図である。
【図７】本発明の第２の実施形態を示し、図１に示すＸ線画像撮影制御部の主要な機能構成の一例を示す模式図である。
【図８】本発明の第２の実施形態を示し、図１に示すＸ線画像撮影制御部による画像処理方法の処理手順の一例を示すフローチャートである。
【図９】本発明の第２の実施形態を示し、図１に示す操作・表示部に表示される設定画面の一例を示す模式図である。
【図１０】本発明の第２の実施形態を示し、図１に示す操作・表示部に表示される設定画面の一例を示す模式図である。
【図１１】本発明の第２の実施形態を示し、図１に示す操作・表示部に表示される、出力領域の非回転時の空き領域を示す画面及び出力領域の回転時の空き領域を示す画面の一例を示す模式図である。
【符号の説明】
【０１４３】
１００  Ｘ線画像処理システム（放射線画像処理システム）
１１０  Ｘ線画像撮影装置（放射線画像撮影装置）
１１１  Ｘ線発生部（放射線発生部）
１１２  Ｘ線発生制御部（放射線発生制御部）
１１３  センサ
１１４  センサユニット
１１５  Ｘ線画像撮影制御部（放射線画像撮影制御部）
１１６  操作・表示部
１２０  ネットワーク
１３０  ＲＩＳ
１４０  ＰＡＣＳ
１５０  Ｖｉｅｗｅｒ
１６０−１、１６０−２  プリンタ
２１０  画像入力部
２２０  画像処理部
２３０  切り出し制御部
２４０  出力デバイス情報保持用メモリ
２５０  画像配置情報保持用メモリ
２６０  切り出し開始位置入力部
２７０  切り出し領域入力部
２８０  画像出力部
【図１】
2010114783.tif 000003
【図２】
2010114783.tif 000004
【図３】
2010114783.tif 000005
【図４】
2010114783.tif 000006
【図５】
2010114783.tif 000007
【図６】
2010114783.tif 000008
【図７】
2010114783.tif 000009
【図８】
2010114783.tif 000010
【図９】
2010114783.tif 000011
【図１０】
2010114783.tif 000012
【図１１】
2010114783.tif 000013